【手続補正書】
【提出日】平成19年3月1日(2007.3.1)
【手続補正１】
【補正対象書類名】明細書
【補正対象項目名】特許請求の範囲
【補正方法】変更
【補正の内容】
【特許請求の範囲】
【請求項１】
受信装置が接続状態か無接続状態かを特定するカスタマイズ可能なコンフィギュレーション情報を有する受信装置を備える対話型テレビジョン・システムであって、前記受信装置が接続状態にあるときにアクセスできる接続コンテンツと、前記受信装置が無接続状態にあるときにアクセスできる無接続コンテンツとを前記受信装置が受信可能である対話型テレビジョン・システムにおいて、前記受信装置が無接続状態にあるときに、アクセスできないエンハンスト・コンテンツに対するリンクによって視聴者が妨害されないようにする方法において、
前記受信装置と遠隔情報源との間の双方向接続が接続状態であるか無接続状態であるかを特定するコンフィギュレーション情報を格納するステップであって、前記コンフィギュレーション情報は、接続コンテンツにリンクする接続コンテンツ・トリガを前記受信装置が実行するとき、及び、無接続コンテンツにリンクする無接続コンテンツ・トリガを前記受信装置が実行するときを制御するようカスタマイズ可能であり、前記接続コンテンツは前記受信装置が接続状態にあるときに前記受信装置によってアクセスされるエンハンスト・コンテンツを含み、前記無接続コンテンツは前記受信装置が無接続状態にあるときに前記受信装置によってアクセスされるエンハンスト・コンテンツを含み、前記受信装置が接続状態であることを前記コンフィギュレーション情報が特定するとき、前記受信装置は接続コンテンツ・トリガのみを実行し、もって該接続コンテンツにアクセスするステップと、
エンハンスト・コンテンツにリンクするコンテンツ・トリガを受信するステップであって、前記コンテンツ・トリガは複数のフィールドを有し、前記複数のフィールドは、前記エンハンスト・コンテンツのロケーションに関する少なくとも１つのロケーション・フィールドと、前記エンハンスト・コンテンツが接続コンテンツと無接続コンテンツのいずれであるかを示す別個のコネクティビティ・フィールドとを含むステップと、
前記コンテンツ・トリガ内の前記コネクティビティ・フィールド内のコネクティビティ値に基づいて、前記コンテンツ・トリガが接続コンテンツ・トリガと無接続コンテンツ・トリガのいずれであるかを決定するステップと、
前記コネクティビティ値が前記トリガを接続コンテンツ・トリガとして識別していると決定するとき、及び、前記コンフィギュレーション情報が前記受信装置が接続状態であることを示していると決定するとき、前記接続コンテンツ・トリガを実行し、遠隔情報源に対する前記双方向接続を介して前記遠隔情報源からのエンハンスト・コンテンツにアクセスするステップと、
前記コネクティビティ値が前記トリガを無接続コンテンツ・トリガとして識別していると決定するとき、前記コンフィギュレーション情報が前記受信装置が接続状態と無接続状態のいずれにあるかを示しているに拘わらず、無接続コンテンツ・トリガを実行するステップと、
を備え、前記無接続コンテンツ・トリガが、前記遠隔情報源に対する双方向接続なしにローカル記憶装置からアクセスされるエンハンスト・コンテンツを識別する方法。
【請求項２】
前記無接続コンテンツが、遠隔情報記憶装置に対する双方向接続を要しないコンテンツである、請求項１記載の方法。
【請求項３】
接続コンテンツ・トリガを実行する前記ステップが、遠隔情報記憶装置に対する双方向接続の確立と維持のうちの少なくとも一方を含む、請求項１記載の方法。
【請求項４】
接続コンテンツ・トリガを実行する前記ステップが、前記接続コンテンツ・トリガと関連する情報を表示するステップを含む、請求項１記載の方法。
【請求項５】
前記コンフィギュレーション情報を、前記受信装置が無接続状態であると特定することから接続状態と特定することへ修正するステップを更に含む、請求項１記載の方法。
【請求項６】
前記コンフィギュレーション情報が第三者によって遠隔的に修正される、請求項５記載の方法。
【請求項７】
前記コンフィギュレーション情報が前記受信装置のユーザーによって修正される、請求項５記載の方法。
【請求項８】
前記コンフィギュレーション情報が、以前は無接続であった受信装置が今は接続状態であると特定した後に、前記受信装置が接続コンテンツ・トリガを受信し実行する、請求項５記載の方法。
【請求項９】
前記受信装置が無接続状態であると前記コンフィギュレーション情報が特定するとき、前記接続コンテンツ・トリガが前記受信装置によって受信され、前記受信装置は、前記コンフィギュレーション情報が前記受信装置が接続状態であると特定するまでは前記接続コンテンツ・トリガを記憶する、請求項５記載の方法。
【請求項１０】
前記受信装置が接続状態であると前記コンフィギュレーション情報が特定するとき、前記受信装置が後で接続コンテンツ・トリガを実行する、請求項９記載の方法。
【請求項１１】
前記受信装置を接続状態から無接続状態に変更するよう前記コンフィギュレーション情報を修正するステップをさらに含む、請求項１記載の方法。
【請求項１２】
前記コンフィギュレーション情報が第三者によって遠隔的に修正される、請求項１１記載の方法。
【請求項１３】
前記コンフィギュレーション情報が前記受信装置のユーザーによって修正される、請求項１１記載の方法。
【請求項１４】
前記コンフィギュレーション情報が前記受信装置のローカル・メモリに記憶される、請求項１記載の方法。
【請求項１５】
接続トリガがローカル記憶されたエンハンスメント・コンテンツにリンクしているときであっても、前記コネクティビティ値は前記コンテンツ・トリガが接続トリガであることを示す、請求項１記載の方法。
【請求項１６】
ローカル記憶されたエンハンスメント・コンテンツが、遠隔情報源に対する双方向接続を介して前記受信装置にアクセス可能である更なるエンハンスメント・コンテンツにリンクする、請求項１５記載の方法。
【請求項１７】
前記受信装置が無接続状態であると決定すると、接続コンテンツ・トリガが前記受信装置によって除去されて無視される、請求項１記載の方法。
【請求項１８】
前記ロケーション・フィールドがＵＲＩである、請求項１記載の方法。
【請求項１９】
前記コネクティビティ値を含む前記コネクティビティ・フィールドが、属性／値ペア内の値であり、前記コネクティビティ値は前記コンテンツ・トリガが接続コンテンツ・トリガと無接続コンテンツ・トリガのいずれであるかを特定する、請求項１記載の方法。
【請求項２０】
前記受信装置が無接続状態のとき、利用可能なエンハンスト・コンテンツは前記受信装置が接続状態にあるときよりも限定されている、請求項１記載の方法。
【請求項２１】
受信装置が接続状態か無接続状態かを特定するカスタマイズ可能なコンフィギュレーション情報を有する受信装置であって、前記受信装置が接続状態にあるときにアクセスできる接続コンテンツと、前記受信装置が無接続状態にあるときにアクセスできる無接続コンテンツとを受信可能であり、前記受信装置が無接続状態にあるときに、アクセスできないエンハンスト・コンテンツに対するリンクによって視聴者が妨害されないようにする受信装置において、
前記受信装置と遠隔情報源との間の双方向接続が接続状態であるか無接続状態であるかを特定するコンフィギュレーション情報を格納する手段であって、前記コンフィギュレーション情報は、接続コンテンツにリンクする接続コンテンツ・トリガを前記受信装置が実行するとき、及び、無接続コンテンツにリンクする無接続コンテンツ・トリガを前記受信装置が実行するときを制御するようカスタマイズ可能であり、前記接続コンテンツは前記受信装置が接続状態にあるときに前記受信装置によってアクセスされるエンハンスト・コンテンツを含み、前記無接続コンテンツは前記受信装置が無接続状態にあるときに前記受信装置によってアクセスされるエンハンスト・コンテンツを含み、前記受信装置が接続状態であることを前記コンフィギュレーション情報が特定するとき、前記受信装置は接続コンテンツ・トリガのみを実行し、もって該接続コンテンツにアクセスする手段と、
エンハンスト・コンテンツにリンクするコンテンツ・トリガを受信する手段であって、前記コンテンツ・トリガは複数のフィールドを有し、前記複数のフィールドは、前記エンハンスト・コンテンツのロケーションに関する少なくとも１つのロケーション・フィールドと、前記エンハンスト・コンテンツが接続コンテンツと無接続コンテンツのいずれであるかを示すコネクティビティ・フィールドとを含む手段と、
前記コンテンツ・トリガ内の前記コネクティビティ・フィールド内のコネクティビティ値に基づいて、前記コンテンツ・トリガが接続コンテンツ・トリガと無接続コンテンツ・トリガのいずれであるかを決定する手段と、
前記コネクティビティ値が前記トリガを接続コンテンツ・トリガとして識別していると決定するとき、及び、前記コンフィギュレーション情報が前記受信装置が接続状態であることを示していると決定するとき、前記接続コンテンツ・トリガを実行し、遠隔情報源に対する前記双方向接続を介して前記遠隔情報源からのエンハンスト・コンテンツにアクセスする手段と、
前記コネクティビティ値が前記トリガを無接続コンテンツ・トリガとして識別していると決定するとき、前記コンフィギュレーション情報が前記受信装置が接続状態と無接続状態のいずれにあるかを示しているに拘わらず、無接続コンテンツ・トリガを実行する手段と、
を備え、前記無接続コンテンツ・トリガが、前記遠隔情報源に対する双方向接続なしにローカル記憶装置からアクセスされるエンハンスト・コンテンツを識別する受信装置。
を含むことを特徴とする受信装置。
【請求項２２】
前記コンフィギュレーション情報を修正する手段をさらに含む、請求項２１記載の受信装置。
【請求項２３】
請求項２１記載の受信装置と、ビデオ及び該ビデオに付随するトリガを送信する送信機とを含むシステム。
【請求項２４】
前記受信装置が無接続状態であると前記コンフィギュレーション情報が特定するとき、前記接続コンテンツ・トリガが前記受信装置によって受信され、前記受信装置は、前記コンフィギュレーション情報が前記受信装置は接続状態であると特定するまでは前記接続コンテンツ・トリガを記憶する、請求項２３記載のシステム。
【請求項２５】
前記受信装置が接続状態であると前記コンフィギュレーション情報が特定するとき、前記受信装置が後で接続コンテンツ・トリガを実行する、請求項２４記載のシステム。
【請求項２６】
請求項１記載の方法を実施するためにプロセッサによって実行されるコンピュータ実行可能命令が符号化された１つ以上のコンピュータ読み取り可能記憶媒体を有するコンピュータ・プログラム製品。
【請求項２７】
前記方法が、前記コンフィギュレーション情報を修正することをさらに含む、請求項２６記載のコンピュータ・プログラム製品。
【請求項２８】
前記受信装置が無接続状態であると前記コンフィギュレーション情報が特定するとき、前記接続コンテンツ・トリガが前記受信装置によって受信され、前記受信装置は、前記コンフィギュレーション情報が前記受信装置は接続状態であると特定するまでは前記接続コンテンツ・トリガを記憶する、請求項２６記載のコンピュータ・プログラム製品。
【請求項２９】
前記受信装置が接続状態であると前記コンフィギュレーション情報が特定するとき、前記受信装置が後の時点に前記接続コンテンツ・トリガを実行する、請求項２８記載コンピュータ・プログラム製品。
【請求項３０】
前記後の時点が、前記接続コンテンツ・トリガの受信時に始まる遅延期間の終わりである、請求項２９記載のコンピュータ・プログラム製品。
【請求項３１】
前記方法が、無接続コンテンツ・トリガを受信するステップと、前記無接続コンテンツ・トリガに関連するコネクティビティ値に基づいて、前記無接続コンテンツ・トリガを識別するステップとをさらに含む、請求項２６記載のコンピュータ・プログラム製品。
【請求項３２】
前記方法が、前記無接続コンテンツ・トリガを実行するステップをさらに含む、請求項３１記載のコンピュータ・プログラム製品。